(57)【要約】【課題】環状蛍光ランプ１を用いて薄型化できる照明器具を提供する。【解決手段】中央に形成された開口部13、開口部13の周囲に形成された環状の平板部、平板部の周囲に形成された環状の段部16を有する器具本体11を備える。ガラスバルブ２の管外径が２５．５mm以下であり、ガラスバルブ２の環状の仮想軸と同一方向に向けて口金ピン４が配設された環状蛍光ランプ１を備える。器具本体11の段部16の上方からソケット18を垂直に突設し、ソケット18にその垂直方向から口金ピン４が挿入して電気的に接続する。器具本体11の段部16の上方からランプホルダ21を垂直に突設し、ランプホルダ21にガラスバルブ２の外周を嵌合して保持する。器具本体11にセード29を取着する。【選択図】図１
2006294633.tif 000002
【特許請求の範囲】
【請求項１】
中央に形成された開口部、開口部の周囲に形成された環状の平板部、平板部の周囲に形成された環状の段部を有する器具本体と；
下方照射部分が器具本体の取付面に対する最大突出部と同一か下方に位置するように段部の周囲に配設されたガラスバルブの管外径が２５．５mm以下であり、かつ、ガラスバルブの環状の仮想軸と同一方向に向けて口金ピンが配設されている環状蛍光ランプと；
器具本体の段部の上方から垂直に突設され、その垂直方向から環状蛍光ランプの口金ピンが挿入されて電気的に接続されるソケットと；
器具本体の段部の上方から垂直に突設され、環状蛍光ランプのガラスバルブの外周に嵌合して保持するランプホルダと；
器具本体に取着されるセードと；
を具備していることを特徴とする照明器具。
【発明の詳細な説明】
【技術分野】
【０００１】
本発明は、環状蛍光ランプを用いた照明器具に関する。
【背景技術】
【０００２】
従来、環状蛍光ランプを用いた照明器具は、天板の下面に円錐台形状の器具本体を設け、この器具本体から下方にソケットとランプホルダとをそれぞれ２つずつ対称的に突設し、それら各ソケットにランプ外径の異なる２本の各環状蛍光ランプの口金を接続するとともに、各ランプホルダに各環状蛍光ランプの口金とは反対のガラスバルブ部分を嵌合し、器具本体の下方に２本の環状蛍光ランプを互いの高さを異ならせて配設している（例えば、特許文献１参照。）。
【０００３】
従来用いられている環状蛍光ランプでは、そのガラスバルブの管外径が２９mmと比較的大きい。
【０００４】
この環状蛍光ランプを器具本体の下方に配設する従来の照明器具では、天井面に対する器具本体の最大突出部よりも下方に環状蛍光ランプが突出し、環状蛍光ランプを含む照明器具の全体の高さが比較的高くなっている。
【特許文献１】特開平４−２１２２７６号公報
【発明の開示】
【発明が解決しようとする課題】
【０００５】
従来の構造では、環状蛍光ランプのガラスバルブの管外径が大きく、この環状蛍光ランプを器具本体の下方に配設するため、照明器具の高さを全体的に低くできにくく、器具本体の高さが高いと圧迫感がある。
【０００６】
本発明は、このような点に鑑みなされたもので、環状蛍光ランプを用いて薄型化できる照明器具を提供することを目的とする。
【課題を解決するための手段】
【０００７】
請求項１記載の照明器具は、中央に形成された開口部、開口部の周囲に形成された環状の平板部、平板部の周囲に形成された環状の段部を有する器具本体と；下方照射部分が器具本体の取付面に対する最大突出部と同一か下方に位置するように段部の周囲に配設されたガラスバルブの管外径が２５．５mm以下であり、かつ、ガラスバルブの環状の仮想軸と同一方向に向けて口金ピンが配設されている環状蛍光ランプと；器具本体の段部の上方から垂直に突設され、その垂直方向から環状蛍光ランプの口金ピンが挿入されて電気的に接続されるソケットと；器具本体の段部の上方から垂直に突設され、環状蛍光ランプのガラスバルブの外周に嵌合して保持するランプホルダと；器具本体に取着されるセードと；を具備しているものである。
【０００８】
そして、この構成では、環状蛍光ランプのガラスバルブの管外径が２５．５mm以下であるため、照明器具の薄型化を図れる。
【０００９】
また、口金ピンがガラスバルブの環状の仮想軸と幅同一方向に向けて配設されているため、口金ピンに接続されるソケットがランプ内側空間の方向へ突出せず、ランプ内側空間を有効利用できる。
【００１０】
また、環状蛍光ランプの器具本体への着脱は、環状蛍光ランプを垂直に移動させることにより容易に行える。さらに、口金ピンの突出方向が環状蛍光ランプの着脱方向と一致するため、口金ピンとソケットとの着脱も容易にできる。
【００１１】
また、器具本体の段部の上方からソケットおよびランプソケットを垂直に突設したため、環状蛍光ランプを含めた器具本体を薄型にできる。
【発明の効果】
【００１２】
請求項１記載の照明器具によれば、環状蛍光ランプのガラスバルブの管外径が２５．５mm以下であるため、照明器具の薄型化を図れる。
【００１３】
また、口金ピンがガラスバルブの環状の仮想軸と幅同一方向に向けて配設されているため、口金ピンに接続されるソケットがランプ内側空間の方向へ突出せず、ランプ内側空間を有効利用できる。
【００１４】
また、環状蛍光ランプの器具本体への着脱は、環状蛍光ランプを垂直に移動させることにより容易に行える。さらに、口金ピンの突出方向が環状蛍光ランプの着脱方向と一致するため、口金ピンとソケットとの着脱も容易にできる。
【００１５】
また、器具本体の段部の上方からソケットおよびランプソケットを垂直に突設したため、環状蛍光ランプを含めた器具本体を薄型にできる。
【発明を実施するための最良の形態】
【００１６】
以下、本発明の実施の形態を図面を参照して説明する。
【００１７】
図１は本発明の第１の実施の形態を示す照明器具の断面図、図２は照明器具の分解状態の斜視図である。
【００１８】
図において、１は環状蛍光ランプで、この環状蛍光ランプ１は、管外径が２５．５mm以下の例えば１９mmに形成された環状のガラスバルブ２を有し、このガラスバルブ２内には希ガスおよび水銀を有する放電媒体が封入されるとともに、ガラスバルブ２の内壁面には蛍光体被膜が形成され、ガラスバルブ２の両端には電極が配設され、ガラスバルブ２の両端間に跨がって口金３が配設されている。口金３には、電極に電気的に接続された複数の口金ピン４が、ガラスバルブ２の環状の仮想軸とほぼ同一方向に向けて突設されている。そして、図に示すように、本実施の形態の照明器具では、例えば３２Ｗと４０Ｗのランプ外径の異なる２本の環状蛍光ランプ１が用いられる。
【００１９】
11は器具本体で、この器具本体11は、外観が円形でかつ薄型に形成され、ほぼ同形状の天板12の下面に取り付けられており、この天板12の上面が後述する天井面27への取付面12a となる。器具本体11の中央には円形の開口部13が上下方向に開口形成され、この開口部13の周囲に環状の空間14を内部に有する収納部15が形成され、この収納部15の周囲に環状蛍光ランプ１が配設される環状の段部（凹部）16が形成されている。この段部16の上方に臨む環状板部17は、収納部15の高さ方向の厚みよりも薄い平板状に形成されている。
【００２０】
器具本体11の段部16には、２本の環状蛍光ランプ１の各配設位置に対応して一対のソケット18が配設されている。このソケット18は、環状板部17から垂直に突設され、その垂直方向から口金ピン４が挿入されて電気的に接続されるソケット部19が形成されるとともに、口金３の外周に嵌合して保持するほぼＣ字状のホルダ部20が形成されている。
【００２１】
器具本体11の段部16には、ソケット18の位置とは対称位置に、２本の環状蛍光ランプ１の各配設位置に対応して一対のランプホルダ21がそれぞれ配設されている。このランプホルダ21は、環状板部17から垂直に突設され、ガラスバルブ２の外周に嵌合して保持するほぼＣ字状のホルダ部22が形成されている。
【００２２】
器具本体11の収納部15には、ランプホルダ21の近傍位置において、開口部13に臨んでソケット23が水平に配設され、このソケット23にベビー球24が水平に螺合接続されている。
【００２３】
器具本体11の収納部15の環状の空間14には、インバータ回路を有する放電灯点灯装置（インバータ点灯装置）25が配設されている。この放電灯点灯装置25の電源入力側にはアダプタ26が電線などで電気的に接続され、出力側には各ソケット18が電線などで電気的に接続されている。
【００２４】
アダプタ26は、高さが薄い円板状に形成され、器具本体11の開口部13内の下部側に図示しない連結部を介して器具本体11に一体的に固定され、その連結部に沿って配線される電線などで放電灯点灯装置25の電源入力側と接続されている。そして、アダプタ26は、器具取付時に、天井面27に設置されている角形の引掛シーリング28に電気的に接続されるとともに機械的に支持される。
【００２５】
器具本体11には、器具本体11の下方および側方を覆ってセード29が取着される。このセード29は、透光性を有する乳白色材にて、下方へ大きな円弧面でもってなだらかに突出する薄型形状に形成されており、周縁部には器具本体11に取り付けられる取付縁部30が形成されている。
【００２６】
次に、第１の実施の形態の作用を説明する。
【００２７】
図１に示すように、器具本体11は、天井面27に設置されている引掛シーリング28に接続されるアダプタ26を介して、器具本体11が天井面27に支持されるとともに、器具本体11側と引掛シーリング28側とが電気的に接続される。
【００２８】
器具本体11の環状の段部16には、ランプ直径が異なる２本の環状蛍光ランプ１がそれぞれ配設され、口金３から突出する口金ピン４がソケット18に挿入接続されているとともに、口金３と反対側のガラスバルブ２がランプホルダ21で保持されている。また、ソケット23には、ベビー球24が接続されている。
【００２９】
環状蛍光ランプ１、ベビー球24、アダプタ26などを覆ってセード29が器具本体11に取り付けられている。
【００３０】
環状蛍光ランプ１の点灯時およびベビー球24の点灯時には、環状蛍光ランプ１およびベビー球24から発せられた光がセード29を透光して照明される。
【００３１】
そして、器具本体11の周囲の環状の段部16に環状蛍光ランプ１が配設されるため、きわめて薄型にでき、外観が良く、圧迫感を和らげることができる。
【００３２】
特に、ガラスバルブ２の管外径が２５．５mm以下である環状蛍光ランプ１を用いることにより、より薄型にできる。
【００３３】
また、器具本体11の取付面12a すなわち天井面27に対する器具本体11の最大突出部が環状蛍光ランプ１の下方照射部分よりも下方へ突出しない状態にあり、環状蛍光ランプ１を含めて器具本体11を薄型にできる。
【００３４】
また、器具本体11にセード29を取着した状態でも全体として薄型にでき、しかも、セード29は下方へ大きな円弧面でもってなだらかに突出する薄型形状であるため、圧迫感を与えることがない。
【００３５】
また、環状蛍光ランプ１の器具本体11への着脱は、環状蛍光ランプ１を垂直に移動させることにより容易に行なえる。口金ピン４の突出方向が環状蛍光ランプ１の着脱方向と一致するため、口金ピン４とソケット18との着脱も容易にできる。
【００３６】
また、口金ピン４がガラスバルブ２の環状の仮想軸とほぼ同一方向に向けて配設されているため、口金ピン４に接続されるソケット18がランプ内側空間の方向へ突出せず、従来のように口金ピンが内側空間に傾いていてその口金ピンに接続されるソケットが内側空間に突出する場合に比べて、ランプ内側空間を有効利用できる。すなわち、器具本体11の収納部15の径方向に大きくして容積を増加することができる。言い換えれば、同じ容積でも収納部15の高さ方向に低くすることができ、薄型にできる。
【００３７】
次に、図３は本発明の第２の実施の形態を示す照明器具の断面図であり、図４はその分解状態の斜視図である。なお、第１の実施の形態と同様の構成は同一符号を用いてその説明を省略する。
【００３８】
器具本体11は、環状の収納部15を備え、この収納部15の周囲全体に段部16が形成されている。収納部15の外周面の１箇所からは段部16に突出する突出部31が形成され、この突出部31に一対のソケット18が一体に形成されている。
【００３９】
器具本体11の段部16の位置には、環状の反射板32が取り付けられている。この反射板32の反射面33は収納部15の下端周縁部から天板12の周縁部にかけて傾斜状に配設され、この反射面33に各環状蛍光ランプ１の上面側の一部が入り込む凹部34が環状に形成されている。この凹部34の断面形状は、環状蛍光ランプ１とほぼ同心円状になるように形成されている。
【００４０】
各凹部34の各ソケット18に対向する位置には、ソケット18に挿入される環状蛍光ランプ１の口金ピン４が挿通する挿通孔35が形成されているとともに、環状蛍光ランプ１の口金３の外周に嵌合して保持するホルダ36が取り付けられている。各凹部34のホルダ36とは反対側に環状蛍光ランプ１のガラスバルブ２の外周に嵌合して保持するランプホルダ21が取り付けられている。
【００４１】
そして、この第２の実施の形態においては、第１の実施の形態の照明器具に比べて、セード29に丸みを持たせ、環状蛍光ランプ１からのセード29の距離を少し大きくすることにより、セード29に映るランプイメージを消去できるとともに、配光を均一化できる。
【図面の簡単な説明】
【００４２】
【図１】本発明の一実施の形態を示す照明器具の断面図である。
【図２】同上実施の形態の照明器具の分解状態の斜視図である。
【図３】本発明の他の実施の形態を示す照明器具の断面図である。
【図４】同上実施の形態の照明器具の分解状態の斜視図である。
【符号の説明】
【００４３】
１    環状蛍光ランプ
２    ガラスバルブ
４    口金ピン
11    器具本体
12a   取付面
13    開口部
16    段部
18    ソケット
21    ランプホルダ
29    セード
【図１】
2006294633.tif 000003
【図２】
2006294633.tif 000004
【図３】
2006294633.tif 000005
【図４】
2006294633.tif 000006